(57)【要約】【課題】釣り用の仕掛け等を収納する釣り用収納具で、防水機能を十分果たすことができる釣り用収納具を提供する。【解決手段】略方形状の平面形状を呈し、その一辺に開口部２４が設けられ、開口部２４がファスナ部２２ａ、２２ｂにより開閉可能に形成された外袋１０と、該外袋１０に収納される被収納体５０とを有し、被収納体５０が、略方形状の平面形状を呈し、その一辺に開口部が設けられ、該開口部がファスナ部６６により開閉可能に形成された内袋本体６４を有する１又は複数の内袋６０と、内袋６０をカバーするカバー部７０と、全体に略長方形状のシート状を呈し、長手方向の端部領域の一部が略Ｕ字状に湾曲した状態で外袋１０の内側の面に固着された台部５２と、内袋６０とカバー部７０を台部５２に着脱自在に保持するためのネジ部８０と、を有する。【選択図】図３
2010166864.tif 000002
【特許請求の範囲】
【請求項１】
釣り用収納具であって、
略方形状の平面形状を呈し、その一辺に第１開口部が設けられ、該第１開口部が第１ファスナ部により開閉可能に形成された外袋と、
該外袋に収納される被収納体で、
全体に帯状のシート状を呈し、後端側が外袋の内側の面に固着され、略Ｕ字状に湾曲した状態で先端側が外袋の第１開口部側となる台部と、
台部に保持された１又は複数の内袋で、略方形状の平面形状を呈し、その一辺に第２開口部が設けられ、該第２開口部が第２ファスナ部により開閉可能に形成された袋状部を有する内袋と、を有する被収納体と、
被収納体を外袋内から引き出した状態では、台部の後端側の領域が略Ｕ字状に湾曲し、被収納体を外袋内に収納した状態では、台部の後端側の領域よりも先端側の領域が略Ｕ字状に湾曲した状態となることを特徴とする釣り用収納具。
【請求項２】
内袋は、袋状部の第２開口部とは反対側の端部から連設されたシート状の基端部で第１貫通穴が設けられた基端部を有し、
台部は、長手方向の中央領域に第２貫通穴を有し、
被収納体には、内袋を台部に着脱自在に保持させるための保持手段で、第１貫通穴と第２貫通穴に挿通する第１部材と、第１部材に着脱自在となる第２部材とを有し、第１部材と第２部材とで挟んだ状態で内袋とを保持する保持手段が設けられていることを特徴とする請求項１に記載の釣り用収納具。
【請求項３】
被収納体には、内袋をカバーするための帯状のシート状のカバー部で、長手方向の一方の端部領域に第３貫通穴が設けられたカバー部が設けられ、
台部における略Ｕ字状に湾曲した部分が台部の後端側に向けて湾曲した方向を上側とした場合に、台部の第２貫通穴の上にカバー部の第３貫通穴が配置され、第３貫通穴の上に内袋の第１貫通穴が配置されるとともに、カバー部の第３貫通穴が設けられた側の端部領域が略Ｕ字状に湾曲されて、カバー部の先端側の領域が１又は複数の内袋の上面側に配置されることを特徴とする請求項２に記載の釣り用収納具。
【請求項４】
上記保持手段が、台座部とネジ溝が設けられた雌ネジ本体とを有する雌ネジ部により構成される第１部材と、ネジ溝が設けられた雄ネジ本体とヘッドとを有する雄ネジ部により構成される第２部材とから構成されたネジ部であり、雌ネジ部を第２貫通穴と第３貫通穴と第１貫通穴に挿通して、雄ネジ部を雌ネジ部に螺着することにより、カバー部と内袋とが台部に保持されることを特徴とする請求項２又は３に記載の釣り用収納具。
【請求項５】
被収納体には、内袋を台部に着脱自在に保持させるための保持手段が設けられていることを特徴とする請求項１に記載の釣り用収納具。
【請求項６】
内袋は台部に固着されていることを特徴とする請求項１に記載の釣り用収納具。
【請求項７】
上記台部が、内袋の少なくとも袋状部を上面に支持する台部本体で、板材からなる内側部と該内側部を包む外側部とを有する台部本体と、台部本体の端部から連設された基端部でその台部本体とは反対側が外袋の内側の面に固着された台部基端部とを有し、内側部が、台部本体部の外側部や台部基端部を構成する素材よりも固い素材により形成されていることを特徴とする請求項１又は２又は３又は４又は５又は６に記載の釣り用収納具。
【請求項８】
釣り用収納具であって、
略方形状の平面形状を呈し、その一辺に第１開口部が設けられ、該第１開口部が第１ファスナ部により開閉可能に形成された外袋と、
該外袋に収納される被収納体で、
略方形状の平面形状を呈し、その一辺に第２開口部が設けられ、該第２開口部が第２ファスナ部により開閉可能に形成された袋状部と、
袋状部の第２開口部とは反対側の端部から連設されたシート状の基端部で、その袋状部側とは反対側である後端側が外袋の内側の面に固着され、略Ｕ字状に湾曲した状態で先端側が外袋の第１開口部側となる基端部と、を有する被収納体と、
を有し、
被収納体を外袋内から引き出した状態では、基端部における後端側の領域が略Ｕ字状に湾曲し、被収納体を外袋内に収納した状態では、基端部における後端側の領域よりも先端側の領域が略Ｕ字状に湾曲した状態となることを特徴とする釣り用収納具。
【請求項９】
外袋の外側の一方の面に面ファスナ部の一方を有する片部が設けられ、外袋の外側の他方の面の開口部に近い位置に面ファスナ部の他方が設けられ、外袋の開口部側の部分を該片部側に折り曲げて、片部に設けられた面ファスナ部の一方を面ファスナ部の他方に固着させることにより釣り用収納具を折り畳んだ状態とすることができることを特徴とする請求項１又は２又は３又は４又は５又は６又は７又は８に記載の釣り用収納具。
【請求項１０】
外袋に設けられた第１ファスナ部が、互いに平行に複数設けられていることを特徴とする請求項１又は２又は３又は４又は５又は６又は７又は８又は９に記載の釣り用収納具。
【発明の詳細な説明】
【技術分野】
【０００１】
本発明は、釣り用の仕掛け等を収納する釣り用収納具に関するものである。
【背景技術】
【０００２】
従来より、釣り用の仕掛けを収納する収納具が存在する。その中でも、特許文献１や特許文献２に示すように、チャック（又はファスナ部）を有する複数の袋状の収納部を保持することができるものが存在する。
【０００３】
すなわち、特許文献１の仕掛け入れは、仕掛け入れの袋をめくる作業においてその縫い目を始点として破けるという事態を少なくするために、袋状の仕掛け収納部を複数積み重ねて形成した収納体と、その収納体を覆って保持可能なケース体とを備え、収納体における各仕掛け収納部の開口部と対向する取付用周縁部に、係止体が開口部の両側の他辺の周縁部を除いて縫着され、係止体が前記ケース体に取り付けられることによって収納体がケース体に保持されるように形成したものである。
【０００４】
また、特許文献２の仕掛け収納具は、袋の孔位置が伸びたり破れたりしにくく、収納物が見つけ易く取り出し易くするために、ベ−ス本体に沿って保持部材を取り付け、該保持部材に収納袋に明けた孔を挿通し、該保持部材に対して収納袋を揺動可能に保持したものが存在する。
【先行技術文献】
【特許文献】
【０００５】
【特許文献１】特開２００７−１９５５００号公報
【特許文献２】特開２００７−１４３４９６号公報
【発明の概要】
【発明が解決しようとする課題】
【０００６】
しかし、上記特許文献１の仕掛け入れにおいては、袋状の仕掛け収納部にチャックが設けられ、特許文献２に記載の収納具においては、収納袋にはファスナ部が設けられているが、防水機能が十分でないという問題があった。特に、釣り用の仕掛け等を収納する釣り用収納具は、海や川等のように水のある場所で使用することから、十分な防水機能が必要となる。
【０００７】
そこで、本発明が解決しようとする問題点は、釣り用の仕掛け等を収納する釣り用収納具で、防水機能を十分果たすことができる釣り用収納具を提供することである。
【課題を解決するための手段】
【０００８】
本発明は上記問題点を解決するために創作されたものであって、第１には、釣り用収納具であって、略方形状の平面形状を呈し、その一辺に第１開口部が設けられ、該第１開口部が第１ファスナ部により開閉可能に形成された外袋と、該外袋に収納される被収納体で、全体に帯状のシート状を呈し、後端側が外袋の内側の面に固着され、略Ｕ字状に湾曲した状態で先端側が外袋の第１開口部側となる台部と、台部に保持された１又は複数の内袋で、略方形状の平面形状を呈し、その一辺に第２開口部が設けられ、該第２開口部が第２ファスナ部により開閉可能に形成された袋状部を有する内袋と、を有する被収納体と、被収納体を外袋内から引き出した状態では、台部の後端側の領域が略Ｕ字状に湾曲し、被収納体を外袋内に収納した状態では、台部の後端側の領域よりも先端側の領域が略Ｕ字状に湾曲した状態となることを特徴とする。
【０００９】
第１の構成の釣り用収納具においては、内袋内に仕掛け等の被収納物を収納し、被収納体を外袋内に収納することにより被収納物を収納する。つまり、被収納体を外袋内から引き出した状態では、台部の後端側の領域が略Ｕ字状に湾曲するが、台部を外袋に対してスライドさせることにより、略Ｕ字状に湾曲した部分が徐々に後端側の領域から先端側に移動し、被収納体を外袋内に収納した状態では、台部の後端側の領域よりも先端側の領域が略Ｕ字状に湾曲した状態となる。被収納物を取り出す場合には、台部を外袋に対してスライドさせて内袋を引き出し、その後、内袋を開状態にして被収納物を取り出す。
【００１０】
よって、被収納物を内袋に収納して第２ファスナ部を止着し、さらに、被収納物を収納した内袋を外袋に収納して第１ファスナ部を止着するので、防水機能を極めて高くすることができる。また、台部を外袋に対してスライドさせることにより、内袋の外袋への収納や外袋からの取出しが可能であるので、容易に内袋の収納及び引き出しを行なうことができ、釣り用収納具を外袋と内袋との二重袋に構成しても、被収納物の収納や取出しに支障が生じることがない。また、台部が外袋の内側に固着されているので、被収納体が外袋と分離してしまうことがない。
【００１１】
また、第２には、上記第１の構成において、内袋は、袋状部の第２開口部とは反対側の端部から連設されたシート状の基端部で第１貫通穴が設けられた基端部を有し、
台部は、長手方向の中央領域に第２貫通穴を有し、
被収納体には、内袋を台部に着脱自在に保持させるための保持手段で、第１貫通穴と第２貫通穴に挿通する第１部材と、第１部材に着脱自在となる第２部材とを有し、第１部材と第２部材とで挟んだ状態で内袋とを保持する保持手段が設けられていることを特徴とする。よって、内袋を台部に対して着脱自在とすることができる。
【００１２】
また、第３には、上記第２の構成において、被収納体には、内袋をカバーするための帯状のシート状のカバー部で、長手方向の一方の端部領域に第３貫通穴が設けられたカバー部が設けられ、台部における略Ｕ字状に湾曲した部分が台部の後端側に向けて湾曲した方向を上側とした場合に、台部の第２貫通穴の上にカバー部の第３貫通穴が配置され、第３貫通穴の上に内袋の第１貫通穴が配置されるとともに、カバー部の第３貫通穴が設けられた側の端部領域が略Ｕ字状に湾曲されて、カバー部の先端側の領域が１又は複数の内袋の上面側に配置されることを特徴とする。よって、カバー部が設けられているので、台部とカバー部により内袋を挟んだ状態で引き出すことができ、特に、カバー部の後端側が略Ｕ字状に湾曲した状態で、台部と接しているので、台部とカバー部とで内袋を包んだ状態とでき、内袋を円滑に引き出すことができる。
【００１３】
また、第４には、上記第２又は第３の構成において、上記保持手段が、台座部とネジ溝が設けられた雌ネジ本体とを有する雌ネジ部により構成される第１部材と、ネジ溝が設けられた雄ネジ本体とヘッドとを有する雄ネジ部により構成される第２部材とから構成されたネジ部であり、雌ネジ部を第２貫通穴と第３貫通穴と第１貫通穴に挿通して、雄ネジ部を雌ネジ部に螺着することにより、カバー部と内袋とが台部に保持されることを特徴とする。
【００１４】
また、第５には、上記第１の構成において、被収納体には、内袋を台部に着脱自在に保持させるための保持手段が設けられていることを特徴とする。よって、内袋を台部に対して着脱自在とすることができる。
【００１５】
また、第６には、上記第１の構成において、内袋は台部に固着されていることを特徴とする。
【００１６】
また、第７には、上記第１から第６までのいずれかの構成において、上記台部が、内袋の少なくとも袋状部を上面に支持する台部本体で、板材からなる内側部と該内側部を包む外側部とを有する台部本体と、台部本体の端部から連設された基端部でその台部本体とは反対側が外袋の内側の面に固着された台部基端部とを有し、内側部が、台部本体部の外側部や台部基端部を構成する素材よりも固い素材により形成されていることを特徴とする。
【００１７】
よって、台部においては、台部本体を他の部分よりも固く形成でき、固く形成された台部本体は外袋に対して容易に挿脱することができ、容易に内袋の収納及び引き出しを行なうことができる。
【００１８】
また、第８には、釣り用収納具であって、略方形状の平面形状を呈し、その一辺に第１開口部が設けられ、該第１開口部が第１ファスナ部により開閉可能に形成された外袋と、該外袋に収納される被収納体で、略方形状の平面形状を呈し、その一辺に第２開口部が設けられ、該第２開口部が第２ファスナ部により開閉可能に形成された袋状部と、袋状部の第２開口部とは反対側の端部から連設されたシート状の基端部で、その袋状部側とは反対側である後端側が外袋の内側の面に固着され、略Ｕ字状に湾曲した状態で先端側が外袋の第１開口部側となる基端部と、を有する被収納体と、を有し、被収納体を外袋内から引き出した状態では、基端部における後端側の領域が略Ｕ字状に湾曲し、被収納体を外袋内に収納した状態では、基端部における後端側の領域よりも先端側の領域が略Ｕ字状に湾曲した状態となることを特徴とする。
【００１９】
この第８の構成の釣り用収納具においては、内袋内に仕掛け等の被収納物を収納し、被収納体を外袋内に収納することにより被収納物を収納する。つまり、被収納体を外袋内から引き出した状態では、基端部における後端側の領域が略Ｕ字状に湾曲するが、内袋を外袋に対してスライドさせることにより、略Ｕ字状に湾曲した部分が後端側の領域から先端側に移動し、被収納体を外袋内に収納した状態では、台部の後端側の領域よりも先端側の領域が略Ｕ字状に湾曲した状態となる。
【００２０】
よって、被収納物を内袋に収納して第２ファスナ部を止着し、さらに、被収納物を収納した内袋を外袋に収納して第１ファスナ部を止着するので、防水機能を極めて高くすることができる。また、内袋を外袋に対してスライドさせることにより、内袋の外袋への収納や外袋からの取出しが可能であるので、容易に内袋の収納及び引き出しを行なうことができ、釣り用収納具を外袋と内袋との二重袋に構成しても、被収納物の収納や取出しに支障が生じることがない。また、被収納体の基端部が外袋の内側に固着されているので、被収納体が外袋と分離してしまうことがない。
【００２１】
また、第９には、上記第１から第８までのいずれかの構成において、外袋の外側の一方の面に面ファスナ部の一方を有する片部が設けられ、外袋の外側の他方の面の開口部に近い位置に面ファスナ部の他方が設けられ、外袋の開口部側の部分を該片部側に折り曲げて、片部に設けられた面ファスナ部の一方を面ファスナ部の他方に固着させることにより釣り用収納具を折り畳んだ状態とすることができることを特徴とする。よって、釣り用収納具をコンパクトにでき、省スペースを図ることができる。
【００２２】
また、第１０には、上記第１から第９までのいずれかの構成において、外袋に設けられた第１ファスナ部が、互いに平行に複数設けられていることを特徴とする。よって、防水性をより高めることができる。
【発明の効果】
【００２３】
本発明に基づく釣り用収納具によれば、被収納物を内袋に収納して第２ファスナ部を止着し、さらに、被収納物を収納した内袋を外袋に収納して第１ファスナ部を止着するので、防水機能を極めて高くすることができる。また、台部（内袋）を外袋に対してスライドさせることにより、内袋の外袋への収納や外袋からの取出しが可能であるので、容易に内袋の収納及び引き出しを行なうことができ、釣り用収納具を外袋と内袋との二重袋に構成しても、被収納物の収納や取出しに支障が生じることがない。
【図面の簡単な説明】
【００２４】
【図１】実施例１の釣り用収納具を示す上方斜視図である。
【図２】実施例１の釣り用収納具を示す下方斜視図である。
【図３】図１におけるＡ−Ａ断面図である。
【図４】実施例１における被収納体の上方斜視図である。
【図５】実施例１における被収納体の上方分解斜視図である。
【図６】実施例１における被収納体の下方斜視図である。
【図７】実施例１の釣り用収納具における被収納体を外袋に収納した状態を示す上方斜視図である。
【図８】図７におけるＢ−Ｂ断面図である。
【図９】実施例１の釣り用収納具を折り畳んだ状態を示す上方斜視図である。
【図１０】実施例１の釣り用収納具の変形例を示す上方斜視図である。
【図１１】図１１におけるＣ−Ｃ断面図である。
【図１２】実施例１の釣り用収納具における被収納体を外袋に収納した状態を示す断面図である。
【図１３】実施例１の釣り用収納具の変形例を示す上方斜視図である。
【図１４】実施例２の釣り用収納具を示す上方斜視図である。
【図１５】実施例２の釣り用収納具を示す下方斜視図である。
【図１６】図１０におけるＤ−Ｄ断面図である。
【図１７】実施例２における被収納体の上方斜視図である。
【図１８】実施例２における被収納体の下方斜視図である。
【図１９】実施例２における被収納体を外袋に収納した状態を示す上方斜視図である。
【図２０】図１５におけるＥ−Ｅ断面図である。
【図２１】実施例２の釣り用収納具を折り畳んだ状態を示す上方斜視図である。
【発明を実施するための形態】
【００２５】
本発明においては、釣り用の仕掛け等を収納する釣り用収納具で、防水機能を十分果たすことができる釣り用収納具を提供するという目的を以下のようにして実現した。
【実施例１】
【００２６】
本発明の実施例１に基づく釣り用収納具５は、図１〜図６に示すように構成され、外袋１０と、外袋１０に収納される被収納体５０とを有している。
【００２７】
ここで、外袋１０は、全体に一方が開口した略方形状の平面形状の袋状を呈し、外袋本体１２と、片部３０と、面ファスナ部３２とを有している。
【００２８】
外袋本体１２は、一方が開口した方形状の袋状を呈し、シート状で略方形状の上面部１４と、同じくシート状で略方形状の下面部１６と、シート状で細長長方形状の背面部１８と、シート状で略三角形状の一対のマチ部２０とを有している。上面部１４と背面部１８と下面部１６とは全体に１つのシート状部材により一体に形成され、１つのシート状部材を略コ字状に折曲することにより上面部１４と背面部１８と下面部１６とが形成される。マチ部２０は、上面部１４と下面部１６の間の両側（Ｘ１側とＸ２側）の端部間の背面側（Ｙ２側）の端部に設けられ、マチ部２０の各辺部が、上面部１４と下面部１６と背面部１８の辺部に止着されている。また、上面部１４と下面部１６の両側の辺部は、マチ部２０の形成箇所を除いて、互いに止着されている。以上のように、外袋本体１２は、三方が閉塞（封止）されて、正面側が開口して開口部（第１開口部）２４が形成された構成となっている。
【００２９】
また、外袋本体１２の開口側の端部領域には、二重にファスナ部が設けられている。すなわち、開口側にファスナ部２２ａが左右方向に設けられ、ファスナ部２２ａの背面側にファスナ部２２ｂがファスナ部２２ａと平行に設けられている。このファスナ部２２ａは、上面部１４に設けられた雌部２２ａ−１と下面部１６に設けられた雄部２２ａ−２とから構成され、また、ファスナ部２２ｂは、上面部１４に設けられた雌部２２ｂ−１と下面部１６に設けられた雄部２２ｂ−２とから構成され、上面部１４の正面側の領域において、雌部２２ａ−１と雌部２２ｂ−１とが内側に向けて互いに平行に設けられ、下面部１６の正面側の領域において、雄部２２ａ−２と雄部２２ｂ−２とが内側に向けて互いに平行に設けられている。このファスナ部２２ａ、２２ｂは、レール状の凹凸が係合することにより形成されたものである。なお、上面部１４側に雄部を設け、下面部１６側に雌部を設けるようにしてもよい。
【００３０】
また、片部３０は、略長方形状のシート状を呈し、上面部１４の上面（外側の面）に左右方向（Ｘ１−Ｘ２方向）に設けられ、その背面側の辺部に沿って上面部１４に止着されている。つまり、この片部３０は、背面側の辺部を中心に正面側が回動するようになっている。また、この片部３０の内側の面には、面ファスナ部（雄・雌の一方）３０ａが設けられている。
【００３１】
なお、この外袋本体１２と片部３０とは、塩化ビニルにより形成されている。すなわち、外袋本体１２における止着部分は熱溶着することにより形成され、片部３０はその辺部を上面部１４に熱溶着することにより形成されている。
【００３２】
また、下面部１６の正面側の端部領域の外側には、面ファスナ部（雄・雌の他方）３２が設けられている。
【００３３】
次に、被収納体５０は、外袋本体１２内に収納されるとともに、外袋本体１２から引き出すことができるものであり、図４、図５に示すように、台部５２と、内袋６０と、カバー部７０と、ネジ部（保持手段）８０とを有している。なお、図４、図５、図６に示す被収納体５０は、外袋１０に固着する前の状態を示しており、外袋１０に固着した状態では、図３、図８に示すように、基端部５４の後端側（台部本体５６側とは反対側）（Ｙ２側）が略Ｕ字状に湾曲した状態となり、また、カバー部７０は、複数の内袋６０を台部本体５６とは反対側をカバーし、その背面側（Ｙ２側）が略Ｕ字状に湾曲した状態となっている。
【００３４】
ここで、台部５２は、全体に帯状（略長方形状としてもよい）のシート状を呈し、長方形状のシート状の基端部（台部基端部）５４と、長方形状のシート状の台部本体５６と、先端部５８とを有している。
【００３５】
基端部５４は、２枚のシート状部材（塩化ビニル製のシート状部材）を重ねて形成され、その台部本体５６側の領域には、ネジ部８０を挿通するための一対の貫通穴（第２貫通穴）５４ａが形成されている。この貫通穴５４ａは、台部５２の長手方向における中央領域に設けられている。この基端部５４は、塩化ビニルにより形成されているので、柔軟性を有し、容易に略Ｕ字状に湾曲させることができる。
【００３６】
また、台部本体５６は、基端部５４の正面側の端部から連設され、２枚のシート状部材（塩化ビニル製のシート状部材）間に板材を挟んで形成したものである。板材としては、厚紙やプラスチックの板材が挙げられる。つまり、台部本体５６は、板材からなる内側部と、内側部を包む外側部５６ａとから構成されている。なお、該内側部は、外側部５６ａ（塩化ビニル）よりも固い素材により形成されている。
【００３７】
また、先端部５８は、台部本体５６の正面側から突出して形成され、シート状を呈する。この先端部５８は、外袋本体１２内に収納された台部本体５６を引き出しやすくするものであり、その先端側が略円弧状を呈している。
【００３８】
基端部５４と台部本体５６とは、基端部５４と台部本体５６とを合わせた形状・大きさの２枚の塩化ビニル製のシート材を台部本体５６の領域に板材を挟んだ状態とし、該シート材の外周の辺部に沿って溶着するとともに、基端部５４と台部本体５６の境界を直線上に溶着し、さらに、基端部５４の領域において、直線上に熱溶着してなる溶着部５４ｂを複数平行に形成し、貫通穴５４ａを形成することにより形成される。基端部５４の領域において、複数の溶着部を平行に設けることにより２枚のシート材が一体に形成される。また、先端部５８は、台部本体５６の下面（上面でもよい）に接着することにより形成される。なお、先端部５８は、上記２枚のシート材の一方の正面側を先端部５８の形状に突出させることにより形成してもよい。
【００３９】
台部５２の基端部５４は、外袋本体１２の上面部１４の内側に固着されている。つまり、基端部５４の内袋６０が設けられる側とは反対側の面の後端側（背面側）の辺部が、上面部１４の内側の面に固着されていて、先端側が外袋１０の開口部２４側となる。この基端部５４は、図３、図８に示すように略Ｕ字状に湾曲し（つまり、略Ｕ字状にターンしている）、被収納体５０を外袋１０から引き出した状態では、図３に示すように、基端部５４の後端側の領域（つまり、台部５２の後端側の領域）が略Ｕ字状に湾曲し、一方、被収納体５０を外袋１０内に収納した状態では、図８に示すように、基端部５４の先端側の領域（つまり、台部５２の後端側の領域よりも先端側の領域）が略Ｕ字状に湾曲した状態となる。また、被収納体５０を外袋１０から引き出した状態では、貫通穴５４ａが外袋１０から露出するように構成され、これにより、被収納体５０を外袋１０から引き出した状態では、図１〜図３に示すように、ネジ部８０は外袋１０から露出する。これにより、ネジ部８０の雌ネジ部８０ａと雄ネジ部８０ｂとを容易に着脱することができる。
【００４０】
また、内袋６０は、全体に方形状の平板状を呈し、基端部６２と、内袋本体（袋状部）６４とを有している。
【００４１】
基端部６２は、２枚のシート状部材（塩化ビニル製のシート状部材）を重ねて形成され、その背面側の端部領域には、ネジ部８０を挿通するための一対の貫通穴（第１貫通穴）６２ａが形成されている。この一対の貫通穴６２ａは、台部５２の基端部５４に設けられた貫通穴５４ａに対応した位置に形成されている。
【００４２】
また、内袋本体６４は、基端部６２の正面側の端部から連設され、袋状を呈している。つまり、２枚のシート状部材の両側の辺部が止着され、正面側が開口されて開口部（第２開口部）６７が形成されることにより、袋状に形成されいている。また、内袋本体６４の開口側の端部領域には、ファスナ部６６が設けられている。すなわち、このファスナ部６６は、２枚のシート状部材の一方の内側に形成された雄部と他方の内側に設けられた雌部とから構成されている。被収納物は、この内袋本体６４に収納される。なお、内袋６０は、全体に塩化ビニルにより形成されている。
【００４３】
すなわち、内袋６０は、基端部６２と内袋本体６４とを合わせた形状・大きさの２枚の塩化ビニル製のシート材で、一方にファスナ部の雄が形成され、他方にファスナ部の雌が形成されたシート材を開口部側を除く３つの辺部に沿って熱溶着するとともに、基端部６２と内袋本体６４の境界を直線上に熱溶着し、貫通穴６２ａを形成することにより形成されている。
【００４４】
また、カバー部７０は、帯状（略長方形状としてもよい）のシート状を呈し、その先端側は略円弧状を呈している。つまり、カバー部７０は、互いに平行な直線状の側辺７０ａ、７０ｂと、一対の側辺と直角の後端辺７０ｃと、円弧状の先端辺７０ｄとから形成されたシート状を呈している。このカバー部７０は、塩化ビニルにより形成されていて柔軟性を有し、容易に略Ｕ字状に湾曲させることができる。また、カバー部７０における後端辺７０ｃ側の領域には、ネジ部８０を挿通するための一対の貫通穴（第３貫通穴）７２が形成されている。
【００４５】
なお、カバー部７０は、被収納体５０を外袋１０に装着した状態では、図１、図３、図８に示すように、円弧状に形成された側が正面側となるので、円弧状に形成された側を先端側とし、貫通穴７２が形成された側を後端側とする。
【００４６】
ネジ部８０は、平板状の台座部８０ａ−１に内側にネジ溝が設けられた筒状の雌ネジ本体８０ａ−２が設けられた雌ネジ部８０ａ（第１部材）と、外周面にネジ溝が設けられた雄ネジ本体８０ｂ−１にヘッド８０ｂ−２が設けられたボルト状の雄ネジ部８０ｂ（第２部材）とから構成され、被収納体５０を全体に一体化するものである。
【００４７】
すなわち、台部５２上にカバー部７０を配置し、さらに、カバー部７０の上に１又は複数の内袋６０を重ねた状態で雌ネジ部８０ａを挿通し、雄ネジ部８０ｂを雌ネジ部８０ａに螺着することにより、被収納体５０が一体に形成される。つまり、雌ネジ部８０ａの雌ネジ本体８０ａ−２を基端部５４の貫通穴５４ａとカバー部７０の貫通穴７２と内袋６０の貫通穴６２ａとに挿通した後に、雄ネジ部８０ｂを雌ネジ部８０ａに螺着する。これにより、台部５２における略Ｕ字状に湾曲した部分が台部５２の後端側に向けて湾曲した方向を上側とした場合に、台部５２の貫通穴５４ａの上にカバー部７０の貫通穴７２が配置され、貫通穴７２の上に内袋６０の貫通穴６２ａが配置される。なお、カバー部７０を台部５２に配置する際には、図５に示すように、カバー部７０の後端辺７０ｃが台部５２の正面側を向くようにし、内袋６０を配置する際には、内袋６０の背面側（貫通穴６２ａが設けられている側）が台部５２の背面側を向くようにする。なお、雌ネジ部８０ａが貫通穴５４ａ、７２、６２ａに挿通した状態で雄ネジ部８０ｂを螺着したら、カバー部７０を内袋６０の上面にカバーするようにする。これにより、カバー部７０の後端側が略Ｕ字状に湾曲される。つまり、カバー部７０の貫通穴７２が設けられた側の端部領域が略Ｕ字状に湾曲されて、カバー部７０の先端側の領域が１又は複数の内袋の上面側に配置される。このネジ部８０は、内袋を台部に着脱自在に保持するための保持手段といえる。
【００４８】
なお、台部５２や内袋６０やカバー部７０の左右方向の幅は、外袋本体１２内に収納可能な幅に形成され、また、内袋６０の前後方向の長さは、当然外袋本体１２内に収納可能なように、外袋本体１２の収納空間の前後方向の長さよりも短く形成され、また、内袋６０を台部５２に取り付けた際に、内袋６０の正面側の端部が台部本体５６の正面側の端部と略一致する長さに形成されている。また、台部５２の基端部５４の前後方向の長さと、基端部５４の上面部１４への固着位置は、台部本体５６を外袋本体１２内にスライドさせた場合に、図８に示すように、基端部５４の内袋側の領域が略Ｕ字状に湾曲するとともに基端部５４の大部分が台部本体５６及び内袋６０の上方に位置して、被収納体５０全体を収納することができ、一方、台部本体５６を外袋本体１２から引き出した場合には、図３に示すように、基端部５４の上面部１４との固着部分側の領域が略Ｕ字状に湾曲して、内袋６０のすべての領域が外袋本体１２の外部に露出するように設定されている。また、カバー部７０の幅（Ｘ１−Ｘ２方向の幅）は、台部本体５６の幅（Ｘ１−Ｘ２方向の幅）と略同一に形成され、また、カバー部７０の長さ（Ｙ１−Ｙ２方向の長さ）は、外袋１０に収納された被収納体５０を引き出す際に、台部本体５６とカバー部７０とで内袋６０を挟んで引き出すことができる程度の長さ（例えば、被収納体５０が外袋１０に収納された状態でカバー部７０の先端と内袋６０の先端とが略一致する程度の長さ、又は、被収納体５０が外袋１０に収納された状態でカバー部７０の先端が内袋６０の先端よりも正面側に突出する長さ）に形成されている。
【００４９】
上記釣り用収納具５の使用状態について説明する。釣り用収納具５は、内袋６０内に仕掛け等の被収納物を収納し、被収納体５０を外袋１０内に収納することにより被収納物を収納する。
【００５０】
具体的には、被収納体５０を図１〜図３に示すように、外袋１０から引き出した状態とする。この場合に、台部５２の基端部５４が外袋本体１２の内側に固着されているので、被収納体５０が外袋１０と分離してしまうことがない。
【００５１】
そして、ネジ部８０により台部５２に固着された内袋６０の内袋本体６４内に仕掛け等の被収納物（図示せず）を収納してファスナ部６６を封止する。内袋６０内に被収納物を収納する際には、内袋６０にカバー部７０がカバーされているので、カバー部７０の先端側を上方に回動させた状態とすればよい。なお、被収納物を内袋６０内に収納してから内袋６０を台部５２に取り付けてもよい。
【００５２】
そして、台部本体５６の正面側を外袋本体１２側に押すことにより、台部本体５６を外袋本体１２内にスライドさせる。
【００５３】
すると、基端部５４における略Ｕ字状に湾曲した部分が徐々に台部本体５６側に移動していき、被収納体５０全体が外袋１０内に収納された状態となるので、外袋１０の２つのファスナ部２２ａ、２２ｂを封止する。被収納体５０を外袋１０内に収納して、ファスナ部２２ａ、２２ｂを封止した状態は、図７、図８に示すようになる。
【００５４】
その後、外袋１０の正面側の端部を背面側上方に折り返して、面ファスナ部３０ａと面ファスナ部３２とを合わせて固着させる。以上のようにして、図９に示すように、釣り用収納具５を折り畳んだ状態にすることができる。よって、釣り用収納具５をコンパクトにでき、省スペースを図ることができる。
【００５５】
図９に示す状態から、内部に収納された被収納物を取り出す場合には、上記と逆の操作を行う。すなわち、面ファスナ部３０ａと面ファスナ部３２の固着を解除して、図７に示す状態にしたら、外袋１０のファスナ部２２ａ、２２ｂを開状態にし、その後、台部５２の台部本体５６をスライドさせて外袋１０から引き出して、内袋６０を外袋１０の外部に露出させる。
【００５６】
その際、台部本体５６（又は先端部５８）とカバー部７０により内袋６０を手で挟むようにして引き出すことにより、容易に引出し操作を行なうことができる。なお、当初は、台部本体５６の先端部５８を指でつまんで引き出し、カバー部７０の先端側が外袋１０から露出したら、台部本体５６（又は先端部５８）とカバー部７０により内袋６０を手で挟むようにして引き出すようにしてもよい。つまり、カバー部７０が設けられていない場合には、台部本体５６を引き出すのみでは、内袋６０（特に、台部本体５６とは反対側の内袋６０）が外袋１０の開口部に接触して、円滑に引き出すことができないおそれがあるが、カバー部７０が設けられていることにより、台部本体５６（又は先端部５８）とカバー部７０により内袋６０を挟むようにして引き出すことにより、円滑に引き出すことができる。また、特に、カバー部７０の後端側が略Ｕ字状に湾曲した状態で、台部本体５６と接しているので、台部本体５６とカバー部７０とで内袋６０を包んだ状態とでき、内袋６０を円滑に引き出すことができる。その後、内袋６０のファスナ部６６を開状態にして被収納物を取り出す。
【００５７】
以上のように、被収納体５０を外袋１０内から引き出した状態では、台部５２の端部領域における外袋１０に固着された側の領域が略Ｕ字状に湾曲し（図３参照）、被収納体５０を外袋１０内に収納した状態では、台部５２の端部領域における外袋１０に固着された側とは反対側の領域が略Ｕ字状に湾曲した状態となる（図８参照）。
【００５８】
上記構成の釣り用収納具５においては、被収納物を内袋６０に収納してファスナ部６６を止着し、さらに、被収納物を収納した内袋６０を外袋１０に収納してファスナ部２２ａ、２２ｂを止着するので、防水機能を極めて高くすることができる。また、外袋本体１２の正面側の端部を折り返して、面ファスナ部３０ａと面ファスナ部３２とを合わせて固着させて図９に示す状態にできるので、外袋１０のファスナ部２２ａ、２２ｂが不用意に開いてしまうことがない。
【００５９】
また、台部５２における台部本体５６を外袋１０に対してスライドさせることにより、内袋６０の外袋１０への収納や外袋１０からの取出しが可能であるので、容易に内袋６０の収納及び引き出しを行なうことができ、また、カバー部７０が設けられているので、台部本体５６とカバー部７０により内袋６０を挟んだ状態で引き出すことができ、よって、釣り用収納具５を外袋１０と内袋６０との二重袋に構成しても、被収納物の収納や取出しに支障が生じることがない。特に、カバー部７０の後端側が略Ｕ字状に湾曲した状態で、台部本体５６と接しているので、台部本体５６とカバー部７０とで内袋６０を包んだ状態とでき、内袋６０を円滑に引き出すことができる。
【００６０】
なお、上記の説明では、ネジ部８０として、台座部８０ａ−１と雌ネジ本体８０ａ−２とを有する雌ネジ部８０ａと、雄ネジ本体８０ｂ−１とヘッド８０ｂ−２とを有する雄ネジ部８０ｂとから構成され、雌ネジ部８０ａの雌ネジ本体８０ａ−２が貫通穴５４ａ、７２、６２ａに挿通した状態で、雄ネジ部８０ｂを螺着するものとして説明したが、ネジ部８０を雄ネジとナットとで構成し、雄ネジを貫通穴５４ａ、７２、６２ａに挿通した状態でナットを螺着する構成としてもよい。
【００６１】
なお、上記の説明においては、収納体５０にカバー部７０が設けられているとして説明したが、カバー部７０の構成を省略してもよい。この場合の釣り用収納具５’は、図１０〜図１２に示すように構成され、被収納体５０は、台部５２と、内袋６０と、ネジ部８０により構成される。なお、図１０〜図１２に示す構成の場合の使用状態は、上記と同様であるが、内部に収納された被収納物を取り出す場合には、外袋１０のファスナ部２２ａ、２２ｂを開状態にし、その後、台部５２の台部本体５６をスライドさせて外袋１０から引き出して、内袋６０を外袋１０の外部に露出させ、内袋６０のファスナ部６６を開状態にして被収納物を取り出す。なお、台部本体５６を外袋１０から引き出す際には、先端部５８を指でつまんで引き出せばよい。上記の構成の場合と異なり、カバー部７０が設けられていないが、外袋１０を大きく開口させて、台部５２を外側にスライドさせることにより、内袋６０が外袋１０の開口部に接触せずに引き出すことができる。内袋６０のうち最も上にある内袋６０と台部本体５６とを手で挟んだ状態で、引き出すようにしてもよい。なお、被収納物を収納する場合には、ネジ部８０により台部５２に固着された内袋６０の内袋本体６４内に仕掛け等の被収納物（図示せず）を収納してファスナ部６６を封止し（被収納物を内袋６０内に収納してから内袋６０を台部５２に取り付けてもよい）、台部本体５６の正面側を外袋本体１２側に押すことにより、台部本体５６を外袋本体１２内にスライドさせればよい。
【００６２】
図１０〜図１２に示す釣り用収納具５’においても、被収納体５０を外袋１０内から引き出した状態では、台部５２の端部領域における外袋１０に固着された側の領域が略Ｕ字状に湾曲し（図１０、図１１参照）、被収納体５０を外袋１０内に収納した状態では、台部５２の端部領域における外袋１０に固着された側とは反対側の領域が略Ｕ字状に湾曲した状態となる（図１２参照）。また、釣り用収納具５’においても、外袋と内袋とにより二重袋に構成されるので、防水機能を高めることができ、また、また、台部５２を外袋１０に対してスライドさせることにより、内袋６０の外袋１０への収納や外袋１０からの取出しが可能であるので、容易に内袋の収納及び引き出しを行なうことができ、釣り用収納具を二重袋に構成しても、被収納物の収納や取出しに支障が生じることがない。
【００６３】
なお、図１０〜図１２に示す釣り用収納具５’においては、複数の内袋６０を台部５２に固定する方法として、ネジ部６８を用いるものとして説明したが、他の方法でもよく、例えば、面ファスナ部を有する片部を内袋６０に挿通することにより固定してもよい。つまり、台部５２の基端部５４における台部本体５６側の端部領域の上面に、貫通穴５４ａを設ける代わりに、基端部５４の左右方向の幅よりも短い幅の略方形状の片部の端部を固着し（例えば、片部を塩化ビニルにより形成して、片部の端部を熱溶着により基端部５４に固着する）、片部の固着側とは反対側の領域で基端部５４の後端側（台部本体５６とは反対側）の面に面ファスナ部（雄・雌の一方）を設ける。また、基端部５４の上面における該片部の基端部５４への固着位置から後端側に間隔を介した位置に面ファスナ部（雄・雌の他方）を設ける。また、内袋６０の基端部６２には、該片部を挿通することができる開口部（帯状の開口部）を設ける。これにより、面ファスナ部同士の固着を解除した状態で、片部を内袋の開口部に挿通し、片部に設けられた面ファスナ部を基端部５４に設けられた面ファスナ部に固着させることにより、内袋６０を台部５２に固定するのである。
【００６４】
また、上記の説明では、内袋６０が台部５２に対して着脱自在であるとしたが、内袋６０を台部５２に固着して被収納体５０を構成してもよい。複数の袋状の内袋６０を台部５２に固着させる方法としては、例えば、図１３に示すように、２つの内袋６０を連結した形状を呈し、相対する側に開口部６７を有する内袋体６０Ａの複数（図１３の例では、２つ）を２つの内袋６０の境界部６９で溶着し（つまり、溶着箇所は、Ｘ１−Ｘ２方向に伸びた状態となる）（図１３（ａ）参照）、一方の側（Ｙ２側）の内袋６０を折り返すことにより、内袋群６０Ｂを形成し（図１３（ｂ）参照）、該内袋群６０Ｂを台部５２に熱溶着等により固着する（図１３（ｃ）参照）。なお、図１３における台部５２は、図５に示す台部５２と同様の構成であるが、貫通穴５４ａが設けられていない点が異なる。内袋群６０Ｂの台部５２への固着に際しては、例えば、内袋群６０ＢのＹ２側の端部を台部５２における基端部５４と台部本体５６の境界位置に熱溶着により固着する。また、図１３において、内袋体６０Ａは、方形状の２枚のシート状部材（塩化ビニル製のシート状部材）を重ねて一対の長辺（Ｙ１−Ｙ２方向の辺部）と２つの内袋６０の境界線に沿って熱溶着するとともに、相対する開口部６７の近傍にファスナ部６６を形成することにより形成する。２つの内袋６０の境界線に沿って溶着した部分が境界部６９となる。
【００６５】
なお、図１３に示す被収納体５０を用いて釣り用収納具を構成する場合の他の構成は、上記と同様であるので、詳しい説明を省略する。また、図１３に示す被収納体５０を用いて釣り用収納具を構成する場合の作用・効果も、内袋６０が台部５２に対して着脱できない点を除いて同様であるので、詳しい説明を省略する。なお、内部に収納された被収納物を取り出す際に、台部本体５６を外袋１０から引き出す際には、先端部５８を指でつまんでスライドさせて外袋１０から引き出すか、又は、内袋群６０Ｂの上端と台部本体５６とを手で挟んで引き出すようにすればよい。
【実施例２】
【００６６】
次に、実施例２の釣り用収納具について説明する。実施例２に基づく釣り用収納具１０５は、図１４〜図１８に示すように構成され、外袋１１０と、外袋１１０に収納される被収納体１５０とを有している。
【００６７】
ここで、外袋１１０は、全体に一方が開口した略方形状の平面形状の袋状を呈し、外袋本体１１２と、片部１３０と、面ファスナ部１３２とを有している。
【００６８】
外袋本体１１２は、一方が開口した方形状の袋状を呈し、シート状で略方形状の上面部１１４と、同じくシート状で略方形状の下面部１１６とを有している。上面部１１４と下面部１１６とは全体に１つのシート状部材により一体に形成され、１つのシート状部材を折曲することにより上面部１１４と下面部１１６とが形成される。そして、上面部１１４と下面部１１６の両側の辺部に沿って止着することにより外袋本体１１２の両側の辺部が封止されている。以上のようにして、外袋本体１１２の三方の辺部が封止された状態となって、正面側が開口して開口部１２０（第１開口部）が形成された構成となっている。なお、本実施例においては、実施例１とは異なり、内袋は１つのみ設けられるので、背面部やマチ部は設けられていない。
【００６９】
また、外袋本体１１２の開口側の端部領域には、二重にファスナ部が設けられている。すなわち、開口側にファスナ部１１８ａが左右方向に設けられ、ファスナ部１１８ａの背面側にファスナ部１１８ｂがファスナ部１１８ａと平行に設けられている。このファスナ部１１８ａは、上面部１１４に設けられた雌部１１８ａ−１と下面部１１６に設けられた雄部１１８ａ−２とから構成され、また、ファスナ部１１８ｂは、上面部１１４に設けられた雌部１１８ｂ−１と下面部１１６に設けられた雄部１１８ｂ−２とから構成され、上面部１１４の正面側の領域において、雌部１１８ａ−１と雌部１１８ｂ−１とが内側に向けて互いに平行に設けられ、下面部１１６の正面側の領域において、雄部１１８ａ−２と雄部１１８ｂ−２とが内側に向けて互いに平行に設けられている。このファスナ部１１８ａ、１１８ｂは、レール状の凹凸が係合することにより形成されたものである。
【００７０】
また、片部１３０は、略長方形状のシート状を呈し、上面部１１４の上面（外側の面）に左右方向（Ｘ１−Ｘ２方向）に設けられ、その背面側の辺部に沿って上面部１１４に止着されている。なお、図１６、図２０等に示すように、実施例１の片部３０とは異なり、片部１３０の背面側の端部を下方から１８０度折り返した状態で下側の辺部に沿って上面部１１４に止着されている。以上のようにして、片部１３０は、背面側の辺部を中心に正面側が回動するようになっている。また、この片部１３０の内側の面には、面ファスナ部（雄・雌の一方）１３０ａが設けられている。
【００７１】
なお、この外袋本体１１２と片部１３０とは、塩化ビニルにより形成されている。すなわち、外袋本体１１２における止着部分は熱溶着することにより形成され、片部１３０はその辺部を上面部１１４に熱溶着することにより形成されている。
【００７２】
また、下面部１１６の正面側の端部領域の外側には、面ファスナ部（雄・雌の他方）１３２が設けられている。
【００７３】
次に、被収納体１５０は、外袋本体１１２内に収納されるとともに、外袋本体１１２から引き出すことができるものであり、図１７、図１８に示すように、全体に方形状の平板状を呈し、長方形状のシート状の基端部１５２と、内袋（袋状部）１５４とを有している。なお、図１７、図１８に示す被収納体１５０は、外袋１１０に固着する前の状態を示しており、外袋１１０に固着した状態では、図１６、図２０に示すように、基端部１５２の内袋１５４側とは反対側が略Ｕ字状に湾曲した状態となる。
【００７４】
ここで、基端部１５２は、２枚のシート状部材（塩化ビニル製のシート状部材）を重ねて形成されている。この基端部１５２は、塩化ビニルにより形成されているので、柔軟性を有し、容易に略Ｕ字状に湾曲させることができる。
【００７５】
また、内袋１５４は、基端部１５２の正面側の端部から連設され、袋状を呈している。つまり、２枚のシート状部材の両側の辺部が止着され、正面側が開口されて開口部（第２開口部）１５８が形成されることにより、袋状に形成されいている。また、内袋１５４の開口側の端部領域には、ファスナ部１５６が設けられている。すなわち、このファスナ部１５６は、２枚のシート状部材の一方の内側に形成された雄部と他方の内側に設けられた雌部とから構成されている。被収納物は、この内袋１５４に収納される。なお、被収納体１５０は、全体に塩化ビニルにより形成されている。
【００７６】
すなわち、被収納体１５０は、基端部１５２と内袋１５４とを合わせた形状・大きさの２枚の塩化ビニル製のシート材で、一方にファスナ部の雄が形成され、他方にファスナ部の雌が形成されたシート材を開口部側を除く３つの辺部に沿って熱溶着するとともに、基端部１５２と内袋１５４の境界を直線上に熱溶着することにより形成されている。
【００７７】
なお、基端部１５２は、外袋本体１１２の上面部１１４の内側に固着されている。つまり、基端部１５２の下面（下面部１１６側の面）の背面側の辺部が、上面部１１４の内側の面に固着されていて、この基端部１５２の内袋１５４とは反対側の端部は、図１６、図２０に示すように、略Ｕ字状に湾曲している。
【００７８】
なお、被収納体１５０の左右方向の幅は、外袋本体１１２内に収納可能な幅に形成され、また、内袋１５４の前後方向の長さは、当然外袋本体１１２内に収納可能なように、外袋本体１１２の収納空間の前後方向の長さよりも短く形成されている。また、基端部１５２と内袋１５４の長さは、被収納体１５０を外袋本体１１２内にスライドさせた場合に、図２０に示すように、基端部１５２の内袋１５４側の領域が略Ｕ字状に湾曲するとともに基端部１５２の大部分が内袋１５４の上方に位置して、被収納体１５０全体を収納することができ、一方、被収納体１５０を外袋本体１１２から引き出した場合には、図１６に示すように、基端部１５２の上面部１１４との固着部分側の領域が略Ｕ字状に湾曲して、内袋１５４の大部分の領域が外袋１１２の外部に露出するように設定されている。なお、被収納体１５０を引き出した際に、内袋１５４の全部が外袋本体１１２から露出するようにしてもよく、また、少なくとも内袋１５４の少なくとも一部が外袋本体１１２から露出すればよい。
【００７９】
上記釣り用収納具１０５の使用状態について説明する。釣り用収納具１０５は、内袋１５４内に仕掛け等の被収納物を収納し、被収納体１５０を外袋１１０内に収納することにより被収納物を収納する。
【００８０】
具体的には、被収納体１５０を図１４〜図１６に示すように、外袋１１０から引き出した状態とする。この場合に、被収納体１５０の基端部１５２が外袋本体１１２の内側に固着されているので、被収納体１５０が外袋１１０と分離してしまうことがない。
【００８１】
そして、内袋１５４内に仕掛け等の被収納物（図示せず）を収納してファスナ部１５６を封止する。そして、内袋１５４の正面側を外袋本体１１２側に押すことにより、内袋１５４を外袋本体１１２内にスライドさせる。
【００８２】
すると、基端部１５２における略Ｕ字状に湾曲した部分が徐々に内袋１５４側に移動していき、被収納体１５０全体が外袋１１０内に収納された状態となる（図１９、図２０参照）ので、外袋１１０の２つのファスナ部１１８ａ、１１８ｂを封止する。
【００８３】
その後、外袋１１０の正面側の端部を背面側上方に折り返して、面ファスナ部１３０ａと面ファスナ部１３２とを合わせて固着させる。以上のようにして、図２１に示すように、釣り用収納具１０５を折り畳んだ状態にすることができる。よって、釣り用収納具１０５をコンパクトにでき、省スペースを図ることができる。
【００８４】
図２１に示す状態から、内部に収納された被収納物を取り出す場合には、上記と逆の操作を行う。すなわち、面ファスナ部１３０ａと面ファスナ部１３２の固着を解除したら、外袋１１０のファスナ部１１８ａ、１１８ｂを開状態にし、その後、内袋１５４をスライドさせて外袋１１０から引き出して、内袋１５４を外袋１１０の外部に露出させ、内袋１５４のファスナ部１５６を開状態にして被収納物を取り出す。なお、被収納体１５０を外袋１１０から引き出す際には、内袋１５４の正面側の端部を指でつまんで引き出せばよい。
【００８５】
以上のように、被収納体１５０を外袋１１０内から引き出した状態では、基端部１５２における外袋１１０に固着された側の領域（基端部１５２における後端側の領域）が略Ｕ字状に湾曲し（図１６参照）、被収納体１５０を外袋１１０内に収納した状態では、基端部１５２における外袋１１０に固着された側とは反対側の領域（基端部１５２における後端側の領域よりも先端側の領域（より具体的には、基端部１５２の先端側の領域））が略Ｕ字状に湾曲した状態となる（図２０参照）。
【００８６】
上記構成の釣り用収納具１０５においては、被収納物を内袋１５４に収納してファスナ部１５６を止着し、さらに、被収納物を収納した内袋１５４を外袋１１０に収納してファスナ部１１８ａ、１１８ｂを止着するので、防水機能を極めて高くすることができる。また、外袋本体１１２の正面側の端部を折り返して、面ファスナ部１３０ａと面ファスナ部１３２とを合わせて固着させて図２１に示す状態にできるので、外袋１１０のファスナ部１１８ａ、１１８ｂが不用意に開いてしまうことがない。
【００８７】
また、内袋１５４を外袋１１０に対してスライドさせることにより、内袋１５４の外袋１１０への収納や外袋１１０からの取出しが可能であるので、容易に内袋１５４の収納及び引き出しを行なうことができ、釣り用収納具１０５を外袋１１０と内袋１５４との二重袋に構成しても、被収納物の収納や取出しに支障が生じることがない。
【００８８】
なお、上記の各実施例の説明においては、塩化ビニルにより形成されている部材は、他の合成樹脂により形成してもよい。
【００８９】
また、上記各実施例においては、外袋１０、１１０には、ファスナ部が２つ（実施例１では、ファスナ部２２ａ、２２ｂ、実施例２では、ファスナ部１１８ａ、１１８ｂ）が設けられているとしたが、３つ以上の複数としてもよい。
【符号の説明】
【００９０】
５、１０５  釣り用収納具
１０、１１０  外袋
１２、１１２  外袋本体
１４  １１４  上面部
１６、１１６  下面部
１８  背面部
２０  マチ部
２２ａ、２２ｂ、６６、１１８ａ、１１８ｂ、１５６  ファスナ部
２４、６７、１２０、１５８  開口部
５０、１５０  被収納体
５２  台部
５４、６２、１５２  基端部
５６  台部本体
６０、１５４  内袋
６４  内袋本体
７０  カバー部
８０  ネジ部
【図１】
2010166864.tif 000003
【図２】
2010166864.tif 000004
【図３】
2010166864.tif 000005
【図４】
2010166864.tif 000006
【図５】
2010166864.tif 000007
【図６】
2010166864.tif 000008
【図７】
2010166864.tif 000009
【図８】
2010166864.tif 000010
【図９】
2010166864.tif 000011
【図１０】
2010166864.tif 000012
【図１１】
2010166864.tif 000013
【図１２】
2010166864.tif 000014
【図１３】
2010166864.tif 000015
【図１４】
2010166864.tif 000016
【図１５】
2010166864.tif 000017
【図１６】
2010166864.tif 000018
【図１７】
2010166864.tif 000019
【図１８】
2010166864.tif 000020
【図１９】
2010166864.tif 000021
【図２０】
2010166864.tif 000022
【図２１】
2010166864.tif 000023